(57)【要約】  光学コネクタケーブルアセンブリを含む医療装置が開示される。光学コネクタケーブルアセンブリは、第１光ファイバーを有する光学コネクタケーブルを備える。光学コネクタケーブルは、ガイドワイヤに接続される遠位コネクタを備える。遠位コネクタは、内部ハウジングとガイドワイヤロック機構とを備える。遠位コネクタは、駆動装置を備える。駆動装置を駆動することによって、内部ハウジングは、第１位置から第２位置に移動される。内部ハウジングが第１位置にあるときには、ガイドワイヤロック機構は、ガイドワイヤを固定してガイドワイヤは光学コネクタケーブルに対して回転可能にされる。内部ハウジングが第２位置にあるときには、ガイドワイヤロック機構はガイドワイヤを受承し、または取り外すために開状態になる。
2019505357.tif 000002
【特許請求の範囲】
【請求項１】
光学コネクタケーブルアセンブリであって、
光学コネクタケーブルから延びる第１光ファイバーと、
前記光学コネクタケーブルが、ガイドワイヤに接続される遠位コネクタを備えることと、前記遠位コネクタが、内部ハウジングと、ガイドワイヤロック機構とからなることと、
駆動装置と、前記駆動装置の駆動によって内部ハウジングが第１位置から第２位置に移動されることと、
前記内部ハウジングが第１位置にあるときは、前記ガイドワイヤロック機構が前記ガイドワイヤを固定して、前記ガイドワイヤが前記光学コネクタケーブルに対して回転可能になることと、
前記内部ハウジングが第２位置にあるときは、ガイドワイヤロック機構は、前記ガイドワイヤを受承し、または取り外すために開状態になることとからなる、光学コネクタケーブルアセンブリ。
【請求項２】
前記ガイドワイヤロック機構は、コレット閉鎖具を備える、請求項１に記載の光学コネクタケーブルアセンブリ。
【請求項３】
前記ガイドワイヤロック機構は、コレットバネとコレットとをさらに備える、請求項２に記載の光学コネクタケーブルアセンブリ。
【請求項４】
前記ガイドワイヤロック機構は、バネで留められたカムアセンブリを備える、請求項１に記載の光学コネクタケーブルアセンブリ。
【請求項５】
前記駆動装置は、摺動機構、押しボタン、２重押しボタン、ラチェット、レバー、ギアアセンブリ、またはそれらの組み合わせからなる、請求項１〜４のいずれか一項に記載の光学コネクタケーブルアセンブリ。
【請求項６】
前記内部ハウジングに隣接する軸上バネをさらに備え、前記内部ハウジングが第２位置にあるときには、軸上バネが圧縮されて前記ガイドワイヤロック機構が開くことを許容する、請求項１〜５のいずれか一項に記載の光学コネクタケーブルアセンブリ。
【請求項７】
前記内部ハウジングは、スプラインギアをさらに備え、前記内部ハウジングが第２位置にある時には、前記スプラインギアは、内部ハウジングが前記光学コネクタケーブルに対して回転することを防止する、請求項１〜６のいずれか一項に記載の光学コネクタケーブルアセンブリ。
【請求項８】
コレットとコレットキャップとをさらに備え、前記内部ハウジングが第２位置にあるときには、前記コレットキャップは、前記光学コネクタケーブルに対して回転可能にされる、請求項７に記載の光学コネクタケーブル。
【請求項９】
前記ガイドワイヤロック機構は、偏倚されたピンチクランプを備える、請求項１に記載の光学コネクタケーブルアセンブリ。
【請求項１０】
血圧測定用医療装置システムであって、システムは、
第１光ファイバーを備える光学コネクタケーブルと、内部ハウジングとガイドワイヤロック機構とからなる遠位コネクタと、を備え、前記遠位コネクタが、圧力検出ガイドワイヤに接続可能であることと、
前記圧力検出ガイドワイヤが圧力センサーを備え、第２光ファイバーが前記圧力センサーから近位方向に延びることと、前記第２光ファイバーが前記第１光ファイバーと光学的に通信可能であることと、前記光学コネクタケーブルが前記圧力検出ガイドワイヤに接続されるように設計されていることと、
駆動装置と、前記駆動装置の駆動によって、前記内部ハウジングが、第１位置から第２位置に移動されることと、前記内部ハウジングが第１位置にあるときには、前記ガイドワイヤロック機構は、前記圧力検出ガイドワイヤを固定するために閉状態にされて、前記圧力検出ガイドワイヤが前記光学コネクタケーブルに対して回転可能になることと、前記内部ハウジングが第２位置にあるときには、前記内部ハウジングは光学コネクタケーブルから遠位方向に移動されて、ガイドワイヤロック機構は、前記圧力検出ガイドワイヤを受承し、または取り外すために開状態になることとからなる、血圧計測用医療装置システム。
【請求項１１】
前記ガイドワイヤロック機構は、コレット閉鎖具を備える、請求項１０に記載のシステム。
【請求項１２】
前記ガイドワイヤロック機構は、コレットバネとコレットをさらに備え、前記内部ハウジングが第２位置にあるときには、前記コレットバネは、圧縮されて、前記コレットを開き、前記内部ハウジングが第１位置にあるときには、前記コレットバネは、前記コレット閉鎖具を閉じる、請求項１１に記載のシステム。
【請求項１３】
前記ガイドワイヤロック機構は、バネで留められたカムアセンブリを備える請求項１０に記載のシステム。
【請求項１４】
前記内部ハウジングに隣接して軸上バネをさらに備え、前記内部ハウジングが第２位置にあるときには、前記軸上バネは収縮して、前記ガイドワイヤロック機構が開くことを許可する、請求項１０〜１３のいずれか一項に記載のシステム。
【請求項１５】
光学コネクタケーブルであって、内部ハウジングとガイドワイヤロック機構とからなる遠位コネクタと、前記遠位コネクタがガイドワイヤに接続可能であることと、
駆動装置と、前記駆動装置の駆動によって、前記遠位コネクタの前記内部ハウジングが、第１位置から第２位置に移動されることと、前記内部ハウジングが第１位置にあるときには、前記ガイドワイヤロック機構は、前記ガイドワイヤを固定するために閉鎖状態にされて、前記ガイドワイヤが前記光学コネクタケーブルに対して回転可能になることと、前記内部ハウジングが第２位置にあるときは、前記内部ハウジングは、前記光学コネクタケーブルから遠位方向に移動されて、前記ガイドワイヤロック機構は、前記ガイドワイヤを受承し、または取り外すために開状態になることとからなる、光学コネクタケーブル。
【発明の詳細な説明】
【技術分野】
【０００１】
本願発明は、医療装置、および医療装置を製造するための方法に関する。より詳細には、血圧検出ガイドワイヤに関する。
【背景技術】
【０００２】
血管内用途などの医療用途用に、様々な体内医療装置が開発されている。これらの装置の中には、ガイドワイヤやカテーテルなどが含まれる。これらの装置は、様々な製造方法で製造され、且つ様々な方法で使用される。周知の医療装置や方法は、長所と短所とがある。したがって、代替的な医療装置、および、医療装置を製造し、使用するための代替的な方法を継続して提供することが求められている。
【発明の概要】
【０００３】
本願発明は、医療装置のための設計、材料、製造方法、および代替的使用を提供する。光学コネクタケーブルアセンブリが開示される。光学コネクタケーブルアセンブリは、
そこから延びる第１光ファイバーからなる光学コネクタケーブルと、
前記光学コネクタケーブルが、ガイドワイヤに接続される遠位コネクタを備えることと、遠位コネクタが内部ハウジングとガイドワイヤロック機構とからなることと、
駆動装置と、駆動装置を駆動することによって内部ハウジングが第１位置から第２位置に移動することと、
内部ハウジングが第１位置にあるときには、ガイドワイヤロック機構はガイドワイヤを固定し、且つガイドワイヤは光学コネクタケーブルに対して回転可能であり、
前記内部ハウジングが第２位置にあるときには、ガイドワイヤロック機構は、ガイドワイヤを受承し、または取り外すために開状態にある。
【０００４】
上記実施形態の任意の１つに代替的にまたは追加的に、ガイドワイヤロック機構は、コレット閉鎖具を備える。
上記実施形態の任意の１つに代替的にまたは追加的に、ガイドワイヤロック機構は、コレットバネとコレットとをさらに備える。
【０００５】
上記実施形態の任意の１つに代替的にまたは追加的に、ガイドワイヤロック機構は、バネで留められたカムアセンブリを備える。
上記実施形態の任意の１つに代替的にまたは追加的に、駆動装置は、摺動機構、押しボタン、２重押しボタン、ラチェット、レバー、ギアアセンブリ、またはそれらの組み合わせ、からなる。
【０００６】
上記実施形態の任意の１つに代替的にまたは追加的に、内部ハウジングに隣接する軸上バネをさらに備え、内部ハウジングが第２位置にあるときには、軸上バネが圧縮されてガイドワイヤロック機構が開くことを許可する。
【０００７】
上記実施形態の任意の１つに代替的にまたは追加的に、内部ハウジングは、スプラインギアをさらに備え、内部ハウジングが第２位置にあるときには、スプラインギアは、内部ハウジングが光学コネクタケーブルに対して回転することを防止する。
【０００８】
上記実施形態の任意の１つに代替的にまたは追加的に、コレットとコレットキャップとをさらに備え、内部ハウジングが第２位置にあるときには、コレットキャップは、光学コネクタケーブルに対して回転可能にされる。
【０００９】
上記実施形態の任意の１つに代替的にまたは追加的に、ガイドワイヤロック機構は、偏倚されたピンチクランプを備える。
血圧を計測するための医療装置システムが開示される。システムは、
第１光ファイバーを含む光学コネクタケーブルと、内部ハウジングとガイドワイヤロック機構とからなる遠位コネクタと、遠位コネクタが圧力検出ガイドワイヤに接続可能であることと、
圧力検出ガイドワイヤが、圧力センサーと圧力センサーから近位方向に延びる第２光ファイバーとを含むことと、第２光ファイバーが第１光ファイバーに光学的に通信可能であることと、光学コネクタケーブルが圧力検出ガイドワイヤに接続されるように設計されていることと、
駆動装置と、駆動装置を駆動することによって、内部ハウジングを第１位置から第２位置に移動することと、内部ハウジングが第１位置にあるときには、ガイドワイヤロック機構は、圧力検出ガイドワイヤを固定するために閉状態にされて、圧力検出ガイドワイヤは、光学コネクタケーブルに対して回転可能であり、内部ハウジングが第２位置にあるときには、内部ハウジングは、光学コネクタケーブルから遠位方向に移動されて、ガイドワイヤロック機構は、圧力検出ガイドワイヤを受承し、または取り外すために開状態になる。
【００１０】
上記実施形態の任意の１つに代替的にまたは追加的に、ガイドワイヤロック機構は、コレット閉鎖具を備える。
上記実施形態の任意の１つに代替的にまたは追加的に、ガイドワイヤロック機構は、コレットバネとコレットとをさらに備え、内部ハウジングが第２位置にあるときには、コレットバネが圧縮されてコレットが開くことを許可し、内部ハウジングが第１位置にあるときには、コレットバネは、コレット閉鎖具を閉じる。
【００１１】
上記実施形態の任意の１つに代替的にまたは追加的に、ガイドワイヤロック機構は、バネで留められたカムアセンブリを備える。
上記実施形態の任意の１つに代替的にまたは追加的に、駆動装置は、摺動機構、押しボタン、２重押しボタン、ラチェット、レバー、ギアアセンブリ、またはそれらの組み合わせからなる。
【００１２】
上記実施形態の任意の１つに代替的にまたは追加的に、内部ハウジングに隣接する軸上バネをさらに備え、内部ハウジングが第２位置にあるときには、軸上バネは圧縮されてガイドワイヤロック機構が開くことを許可する。
【００１３】
上記実施形態の任意の１つに代替的にまたは追加的に、内部ハウジングは、スプラインギアをさらに備え、内部ハウジングが第２位置にあるときには、スプラインギアは、内部ハウジングが、光学コネクタケーブルに対して回転することを防止する。
【００１４】
上記実施形態の任意の１つに代替的にまたは追加的に、コレットとコレットキャップとをさらに備え、内部ハウジングが第２位置にあるときには、コレットキャップは光学コネクタケーブルに対して回転される。
【００１５】
上記実施形態の任意の１つに代替的にまたは追加的に、ガイドワイヤロック機構は偏倚されたピンチクランプを備える。
光学コネクタケーブルが開示される。光学コネクタケーブルは、
内部ハウジングとガイドワイヤロック機構からなる遠位コネクタと、遠位コネクタが、ガイドワイヤに接続可能であることと、
駆動装置と、駆動装置を駆動することによって、遠位コネクタの内部ハウジングが第１位置から第２位置に移動されることと、内部ハウジングが第１位置にあるときには、ガイドワイヤロック機構はガイドワイヤを固定するために閉状態にされて、ガイドワイヤが光学コネクタケーブルに対して回転可能になり、内部ハウジングが第２位置にあるときには、内部ハウジングは、光学コネクタケーブルから遠位方向に移動されて、ガイドワイヤロック機構は、ガイドワイヤを受承し、または取り外すために開状態になる。
【００１６】
上記実施形態の任意の１つに代替的にまたは追加的に、遠位コネクタは、内供ハウジングに隣接して軸上バネをさらに備え、内部ハウジングが第２位置にあるときには軸上バネは圧縮されて、ガイドワイヤロック機構を開くことを許可する。
【００１７】
いくつかの実施形態にかかる上述した概要は、本願発明の説明されている実施形態ごと、または全ての実施態様を説明することを意図するものではない。以下の図面、及び詳細な説明は、これらの実施形態のより具体的な典型例である。
【００１８】
本願発明は、以下の添付の図面と合わせて下記の詳細な説明を考慮することにより、さらに深く理解することができる。
【図面の簡単な説明】
【００１９】
【図１】例示の医療装置の一部を示す部分断面図。
【図２】血管内の閉塞部位に隣接する第１位置に配置された例示の医療装置を示す部分断面図。
【図３】血管内の閉塞部位に隣接する第２位置に配置された例示の医療装置を示す部分断面図。
【図４】医療装置システム１１の例を示す斜視図。
【図５】医療装置システム１１の例を示す分解図。
【図６】医療装置システムの例を示す断面図。
【図７】医療装置システムの例を示す断面図。
【図８】医療装置システムの例を示す断面図。
【図９】医療装置システムの例を示す断面図。
【図１０】医療装置システムの例を示す断面図。
【図１１】医療装置システムの例を示す部分側面断面図。
【図１２】医療装置システムの例を示す部分側面断面図。
【図１３】医療装置システムの例を示す部分側面断面図。
【図１４】医療装置システムの例を示す部分側面断面図。
【図１４Ｂ】医療装置システムの例を示す部分側面断面図。
【図１５】医療装置システムの例を示す部分側面断面図。
【図１６】医療装置システムの例を示す部分側面断面図。
【図１７】医療装置システムの例を示す部分側面断面図。
【図１８】医療装置システムの例を示す部分側面断面図。
【図１９】医療装置システムの例を示す部分側面断面図。
【図２０】医療装置システムの例を示す部分側面断面図。
【図２１】医療装置システムの例を示す部分側面断面図。
【図２２】医療装置システムの例を示す部分側面断面図。
【図２３】医療装置システムの例を示す部分側面断面図。
【図２４】医療装置システムの例を示す部分側面断面図。
【図２５】医療装置システムの例を示す部分側面断面図。
【図２６】医療装置システムの例を示す部分側面断面図。
【発明を実施するための形態】
【００２０】
本願発明は、様々な変更形態と代替形態とが可能であるが、それらのうちの特別なものが、図面に例示することによって示され、且つ詳細に説明されている。しかしながら、その意図は、本願発明を説明されている特定の実施形態に限定することではない。むしろ、その意図は、本願発明の主旨と範囲に入るすべての変更形態と均等形態と代替形態とをすべて包含させることにある。
【００２１】
以下に定義される用語に関して、これらの定義は、異なる定義が請求項または本明細書において与えられない限り適用されるものとする。
全ての数値は、ここでは、明示されているか否かに関わらず、「約」という用語によって修飾されるものと想定されている。「約」という用語は、一般的に、当業者が、記載されている数値に均等であると考える範囲を指す（同一の機能または結果をもたらすなど）。多くの場合において、「約」は、最も近い有効数字に四捨五入される複数の数値を含みうる。
【００２２】
終点で数値範囲が表示されている場合には、その範囲に含まれるすべての数値が含まれる（１〜５には、１，１．５，２，２．７５，３，３．８０，４，５など）。
本明細書および添付の請求項で使用されているように、単数形「ａ（ひとつ）」、「ａｎ（ひとつ）」、「ｔｈｅ（その）」は、反対のことが明確に記載されていない限り、複数の指示対象も含む。本明細書および添付の請求項で使用されているように、「ｏｒ」は、反対のことが明確に記載されていない限り、一般的に「ａｎｄ／ｏｒ」を含む意味で使用される。
【００２３】
明細書において、「実施形態」、「いくつかの実施形態」、「その他の実施形態」について言及する場合には、１つ以上の特定の要素、構造、および特性のうちの少なくともいずれか１つが含まれうることを示す。しかしながら、このような記載は、すべての実施形態が、特定の要素、構造、およびに特性のうちの少なくともいずれか１つを含むことを必ずしも意味しない。加えて、特定の要素、構造、および特徴がある実施形態との関係において記載されている場合には、そのような要素、構造、および特徴のうちの少なくともいずれか１つは、明示の記載の有無にかかわらず反対のことが明確に記載されていない場合には、その他の実施形態と組み合わせて使用することも可能である。
【００２４】
以下の詳細な説明は、異なる図面において類似する要素に同一の番号が付されている図面を参照して読まれたい。図面は、必ずしも縮尺通りではないが、例示の実施形態を表示するものであって本願発明の範囲を限定することを意図するものではない。
【００２５】
医学的な介入を行う際には、血管内の血圧を計測したりモニターしたい場合がある。例えば、医療装置の中には、臨床医が血圧をモニター可能にする血圧センサーを備えるものがある。このような装置は、血量予備量比（ＦＦＲ：fractional  flow  reserve）を決定する際に有用である。ＦＦＲとは、狭窄の前方の圧力および大動脈圧（Ｐａ）のうちの少なくともいずれか一方に対する狭窄の後方または遠位の圧力（Ｐｄ）の比である。言い換えれば、ＦＦＲは、Ｐｄ／Ｐａである。
【００２６】
図１は、例示の医療装置１０の一部を示す。この例では、医療装置１０は、血圧検出ガイドワイヤ１０である。しかしながら、これは、その他の医療装置が、カテーテルや、シャフトや、リード線や、ワイヤなどを含むと限定することを意図していない。ガイドワイヤ１０は、管状部材、即ちシャフト１２を備える。シャフト１２は、近位部１４と遠位部１６とを備える。近位部１４と遠位部１６に用いられる材料は、様々であり、且つ本明細書で開示されている材料も含まれる。例えば、近位部１４と遠位部１６、または双方は、ニッケル‐コバルト‐クロム‐モリブデン合金（ＭＰ３５-Ｎなど）、ニッケル‐チタン合金、ステンレス鋼、または本明細書に開示されている材料などのその他の材料を含む。これらは、単なる例である。その他の材料も、使用可能である。
【００２７】
いくつかの実施形態において、近位部１４と遠位部１６とは、材料が同一のモノリスから形成される。言い換えれば、近位部１４と遠位部１６とは、シャフト１２を形成する同一のチューブの一部である。別の実施形態では、近位部１４と遠位部１６は、ともに連結される独立した管状部材である。例えば、近位部１４／遠位部１６の外部表面の一部が取り除かれて、近位部１４／遠位部１６を連結するために、上記の取り除かれた部分にスリーブ１７が配置される。代替的には、スリーブ１７は、単に近位部１４／遠位部１６の上に配置される。溶接、熱結合、接着結合などその他の結合方法も用いられうる。これらが使用される場合には、近位部１４を遠位部１６に連結するのに使用されるスリーブ１７は、近位部１４と遠位部１６の双方に結合しうる材料を含んでよい。例えば、スリーブ１７は、ニッケル‐クロム‐モリブデン合金（ＩＮＣＯＮＥＬ（登録商標）など）を含んでよい。
【００２８】
複数のスロット１８がシャフト１２に形成される。少なくともいくつかの実施形態では、スロット１８は、遠位部１６に形成される。少なくともいくつかの実施形態では、近位部１４は、スロット１８を欠く。しかしながら、近位部１４は、スロット１８を含んでもよい。スロット１８は、多くの理由から所望される。例えば、スロット１８は、トルクの好適な伝達を可能にしつつ、シャフト１２に好ましいレベルの可撓性（例えば、遠位部１６に沿って）を付与する。スロット１８は、ここで説明する配置を含む好適な方法で遠位部１６に沿って配列または配置される。例えば、スロット１８は、遠位部１６の長さに沿って対向する１対スロット１８として配置される。いくつかの実施形態では、スロット１８の隣接するペアは、互いに対してほぼ一定間隔を有する。代替的には、隣接するペア間の間隔は、さまざまである。例えば、遠位部１６のより遠位の領域では、間隔が狭くされており（スロット密度が高い）、より高い可撓性を付与する。別の実施形態では、遠部１６のより遠位の領域では、間隔が広くされている（スロット密度が低い）。これらは、単なる例である。その他の配列も想定される。
【００２９】
圧力センサー２０は、シャフト１２内部に配置される（シャフト１２の管腔２２内部など）。圧力センサー２０は、図１に模式的に示されているが、圧力センサー２０の構造上の形式や型は、多様であってよい。例えば、圧力センサー２０は、半導体（シリコンワェファーなど）圧力センサー、圧電子圧力センサー、光ファイバーまたは光学圧力センサー、ファブリペロー型圧力センサー、超音波変換器および超音波圧力センサーのうちのいずれか一方、磁気圧力センサー、固体圧力センサーなど、またはその他の好適な圧力センサーが含まれる。
【００３０】
上述したように、圧力センサー２０には、光学圧力センサーが含まれる。実施形態のうちの少なくともいくつかにおいて、光ファイバー２４は、圧力センサー２０に接続されてそこから近位方向に延びる。接続部材２６が、光ファイバー２４をシャフト１２に接続する。接続部材２６は、光ファイバー２４の周囲に円周方向に配置され取り付けられて、シャフト１２（遠位部１６など）の内部表面に固定される。少なくともいくつかの実施形態において、接続部材２６は、圧力センサー２０から近位方向に間隔をあけて配置される。別の配置も想定される。いくつかの例では、芯出しリング（図示略）が、光ファイバー２４周囲に光学圧力センサー２０から近位方向に間隔をあけた場所に配置される。
【００３１】
少なくともいくつかの実施形態では、遠位部１６は、ハウジング部５２を形成する壁が薄くされて内径が拡大された領域を備える。一般的には、ハウジング部５２は、圧力センサー（圧力センサー２０など）を最終的に「収容する」遠位部１６の領域である。ハウジング部５２においてシャフト１２の内部の壁の一部が取り除かれることによって、センサー２０を収容可能な追加の空間が、創出または形成される。
【００３２】
少なくともいくつかの実施形態では、圧力センサー２０の側面に沿った流体圧（血液などからの）の暴露は抑制されることが望ましい。したがって、ハウジング５２に沿って形成される踊り場領域５０に沿って圧力センサーを配置することが望ましい。踊り場領域５０は、圧力センサー２０の側面が、流体圧のために変形される可能性を抑えるために、スロット１８をほぼ欠いている。踊り場領域５０の遠位では、ハウジング部５２は、圧力センサー２０に流体アクセスを可能にするスロット１８を備える。
【００３３】
加えて、スロット１８は、ガイドワイヤ１０の外部または外側表面に沿った部位から、スロット１８を通って、シャフト１２の管腔２２内に血液（および体液のうちの少なくともいずれか一方）が流れることを可能にする流体路を形成する。このため、圧力計測のためのシャフト１２において、側面に、スロット１８以外に追加の開口部を設けるが、この開口部は、無くともよい。これにより、遠位部１６の長さを、センサー２０に流体アクセスを可能にする好適な開口部、即ち孔（好適な大きさの開口部、即ち孔など）を形成する際に十分な長さを有することを必要とする一般的なセンサーマウントまたはハイポチューブよりも短くすることが可能である。
【００３４】
先端部材３０は、遠位部１６に取り付けられる。先端部材３０は、成形部材３２と、バネ、即ちコイル部材３４とを備える。遠位先端部３６は、成形部材３２、およびバネ３４のうちの少なくともいずれか一方に取り付けられる。少なくともいくつかの実施形態では、遠位先端部３６は、はんだボール先端（solder  ball  tip）の形式をとる。先端部材３０は、溶接などで結合部材４６を用いてシャフト１２の遠位部１６に連結される。
【００３５】
シャフト１２は、水溶性コーティング１９を含んでよい。いくつかの実施形態では、水溶性コーティング１９は、シャフト１２のほぼ全長に沿って延びる。他の実施形態では、シャフト１２の１つ以上の飛び飛びの部分が親水性コーティング１９を備える。
【００３６】
使用時において、臨床医は、ＦＦＲ（血管の閉塞部位より前方の圧力と大動脈圧のうちのいずれか一方に対する血管の閉塞部位より後方の圧力）の計測や計算のためにガイドワイヤ１０を使用する。ＦＦＲの計測や計算には、患者の体内における大動脈圧の計測が含まれる。これは、図２に示されているように、閉塞部５６の近位側または上流の位置まで、血管または体管腔５４を貫通してガイドワイヤ１０を前進させることを含む。例えば、ガイドワイヤ１０は、ガイドカテーテル５８を介して少なくともセンサー２０の一部がガイドカテーテル５８の遠位端の遠位側に配置されるまで前進されて、体管腔５４内の圧力を計測する。この圧力は、初期圧として特徴化される。いくつかの実施形態では、大動脈圧は、別の装置によって計測される（圧力検出ガイドワイヤ、カテーテルなど）。初期圧は、大動脈圧と同一にされる。例えば、ガイドワイヤ１０で計測された初期圧は、計測した大動脈圧と同一であると設定される。ガイドワイヤ１０は、図３に示されている閉塞部５６の遠位側または下流の部位までさらに前進される、体管腔５４内の圧力が計測される。この圧力は、下流または遠位圧力として特徴化される。遠位圧力と大動脈圧は、ＦＦＲを計算するのに使用される。
【００３７】
圧力検出ガイドワイヤにおいて光圧力センサーを使用するＦＦＲシステムは、多数の処理、または調節装置、ディスプレイなどに接続されると解される。これらの接続を行う際には、様々なケーブル、または接続装置は、光学信号が隣接する光ファイバーで効率よく伝達されるように設計される。
【００３８】
隣接する光ファイバー間で効率的な通信を可能にするように設計された光学コネクタには様々な種類が存在する。このようなコネクタは、一般的に遠隔通信などの産業分野で利用される。医療装置に光ファイバーを使用する際には、様々な課題が生じる。例えば、光ファイバーが医療装置に使用される場合には、コネクタには、様々な装置や構成要素の接続を可能にする一方で、使用中に別の構成要素に対して、ある構成要素の移動（回転など）を許容することが望ましい。少なくとも、ここで説明する医療装置、医療装置システム、及びコネクタのうちの少なくともいずれかは、光ファイバーを備えるガイドワイヤの光コネクタケーブルへの接続などのファイバー光学システムの構成要素の接続性を高める要素を備える。
【００３９】
本願発明の目的から、医療装置システムについて説明する。医療装置システムは、ともに使用される１つ以上の医療装置であると解される。少なくともいくつかの実施形態では、本願の医療装置システムは、ＦＦＲを計測するためのシステムである。これらのシステムには、圧力検出ガイドワイヤ、ガイドワイヤに接続された光学コネクタケーブル、光学コネクタケーブルに信号調節装置および処置装置のうちの少なくともいずれか一方、ディスプレイ、または出力装置が含まれる。システムは、追加的な中間ケーブル及び装置の少なくともいずれか一方、ガイドカテーテル、その他の圧力計測装置及び構成要素のうちの少なくともいずれか一方等を含んでよい。システムについての説明は、上記の構成要素がすべて備わっていることを示唆するものではない。
【００４０】
図４は、光学コネクタケーブル６１の例を示す斜視図である。光学コネクタケーブル６１は、光学コネクタケーブル６１に対してガイドワイヤの回転を許容する方法でガイドワイヤ（ガイドワイヤ１０など）に接続されるように設計される。光学コネクタケーブル６１は、ガイドワイヤを光学コネクタケーブル６１に固定するための遠位コネクタ６６を備える。遠位コネクタ６６は、ハウジング１００と駆動装置１０２とを備える。駆動装置１０２は、スライド可能なボタン形式をとり、ここで詳細に説明されているガイドワイヤロック機構を駆動するのに使用される。想定されるガイドワイヤロック機構の一部は、本明細書で開示される。ケーブル本体６２は、遠位コネクタ６６から延びる。ケーブル本体６２の近位端では、光学コネクタケーブル６１は、信号調整装置および信号処理装置のうちの少なくともいずれか一方などの別の構成要素に光学コネクタケーブル６１を接続するための近位コネクタ（図示略）を含んでもよい。
【００４１】
図５は、光学コネクタケーブル６１の分解図である。光学コネクタケーブル６１は、コネクタケーブル６１が別の構成要素と通信可能にする構造上の要素を含み、継ぎ手（フェルール）８６に固定された（接着結合またはその他の好適な結合を介して）フランジ付きの本体を任意に備える。コネクタケーブル６１は、光ファイバー（ガイドワイヤ１０内部の光ファイバー２４）を光ファイバー６４に任意に接続するために使用され、信号調節装置などの医療装置システムの１つ以上の構成要素に延びる。
【００４２】
光ファイバー２４／６４などの隣接する光ファイバー間の移動や接触によって、光ファイバー２４／６４の研磨された両端が損傷する可能性がある。これは、光ファイバー２４／６４間の通信に悪影響を与える可能性がある。光ファイバー２４／６４間の通信を向上させるために、コネクタ７０が、遠位コネクタ６６内部に配置される。コネクタ７０は、光ファイバー２４／６４の端部間に配置される。少なくともいくつかの実施形態では、コネクタ７０は、変形可能なディスク状または円筒状である。例えば、コネクタ７０は、ポリマー性のディスク体の形状をとる。これには、光学的に透明な（脂肪族化合物など）ポリウレタンなどの柔軟な材料から形成されたディスク体または円筒体が含まれる。コネクタ７０について、その他の形式も想定される。例えば、コネクタ７０は、ゲル（比較的厚みのあるゲルなど）、光ファイバー２４／６４の一方または双方のコーティング、膜などである。コネクタ７０は、１つ以上のポリマー、またはここで説明されるものを含むその他の好適な材料から形成される。少なくともいくつかの実施形態では、コネクタ７０は、光ファイバー２４／６４を接続する際、およびガイドワイヤ１０と光学コネクタケーブル６１を接続する際、のうちの少なくともいずれか一方において、光ファイバー２４／６４の間の界面においていくらか変形能を付与する緩衝部材または構造上の要素として機能する。
【００４３】
光ファイバー２４／６４は、内部コアと外部被膜材とを含む。いくつかの例では、光ファイバー２４／６４は、同一径（６２．５マイクロメートルなど）のコアを備える。別例では、光ファイバー２４／６４は、異なる直径のコアを備える。例えば、光ファイバー２４は、約６２．５マイクロメートルの直径を有するコアを備え、光ファイバー６４は、約１０５マイクロメートルの直径を有するコアを備える。これらは単なる例である。その他の直径も想定される。加えて、光ファイバー２４／６４の外径は、同一または異なる。例えば、光ファイバー２４／６４の外径は、約１２５マイクロメートルである。これらは単なる例である。別の直径も想定される。
【００４４】
上述したように、遠位コネクタ６６は、光学コネクタケーブル６１に対してガイドワイヤ１０の相対的な回転を許容しつつガイドワイヤ１０に固定されるように設計されたガイドワイヤロック機構を備える。例えば、遠位コネクタ６６は、ガイドワイヤ１０を離脱可能に遠位コネクタ６６にロックするガイドワイヤロック構造を備える。図５に示されている例示の実施形態では、ガイドワイヤロック構造は、ロックコレット７２を含む。ここで説明されているものを含めて別のガイドワイヤロック構造も想定される。コレット固定具９４、軸上バネ９２、および対のベアリング９６もハウジング１００内部に配置される。
【００４５】
いくつかの例では、ロックコレット７２は、駆動装置１０２で駆動される。図５に示されている実施形態では、例えば、押し駆動装置１０２により前方に駆動される摺動機構である。光学コネクタケーブル６１の内部に収容されるものには、コレット閉鎖具８８、ベアリング９６、コレットバネ９０が含まれる。遠位コネクタ６６は、ハウジング１００、ワイヤフェルール８２、ポリマーディスク７０、フェルール８６、スプリットスリーブ８４、フランジ付き本体７６、本体６８、およびケーブル本体６２がさらに含まれる。いくつかの例では、ハウジング１００と本体６８の間に、Ｏ−リング（図示略）が配置される。Ｏ−リングは、緩衝性を追加的に付与する（例えば、ガイドワイヤが接続体７０に対して押しつけられた際に、遠位コネクタ６６内に挿入されたガイドワイヤを緩衝する）。
【００４６】
光学コネクタケーブル６１、遠位コネクタ６６、及びガイドワイヤロック機構７２は、ガイドワイヤ１０に連結可能である。使用時において、駆動装置１０２は、第１位置から第２位置まで内部ハウジング７４を駆動するのに使用される。内部ハウジング７４が第２位置にあるときには、ガイドワイヤロック機構７２は、開かれて内部にガイドワイヤ１０の挿入を許容し、内部ハウジング７４が第１位置に移動したときには、ガイドワイヤロック機構７２は、閉じられて、ガイドワイヤ１０を固定する。内部ハウジング７４が第１位置にあるときには、ガイドワイヤは、遠位コネクタ６６に固定されて遠位コネクタ６６に対して回転可能になる。
【００４７】
図６〜１０は、医療装置１１とガイドワイヤロック機構の動作を示す部分断面図である。例えば、図６は、ガイドワイヤが遠位コネクタ６６の内部に挿入される前の医療装置１１を示す部分断面図である。この図では、駆動装置１０２は、駆動されておらず、遠位コネクタ６６に沿って第１位置、即ち近位位置に配置され、遠位コネクターハウジング１０３に隣接する軸上バネ９２が駆動装置を近位方向、即ちハウジング１００の右方向に押すこと、および力を作用させることのうちの少なくともいずれか一方によって、コレット７２は、コレット固定具９４とコレット閉鎖具８８との間のコレットバネ９０によって閉鎖される。コレットバネ９０は、コレット固定具９４を押して、コレット７２の一部を覆うコレット固定具９４を固定するため、コレット７２は閉じられてガイドワイヤ１０はその場にロックされる。ベアリング９６ａ／９６ｂ／９６ｃなどのベアリングは、遠位コネクタ６６の種々の構造を所望される向きに保つことができる。図６に示されているように配置された場合には、コレット固定具９４の遠位端は、遠位コネクターハウジング１０３の遠位端とほぼ同一平面、または近位側の位置に延びる。いくつかの例では、コレット固定具９４は、コレット固定具９４の遠位端がベアリング９６ｂの遠位端と軸方向に一致する位置まで延びるように少し短くされる（図６〜１０に示されているものと比較して短い）。
【００４８】
図７は、コレット固定具９４が駆動装置１０２の遠位ベアリング９６ｂと接触してコレット固定具９４とコレット７２の前方への移動が停止する位置まで前進された駆動装置１０２を示す部分断面図である。いくつかの例では、コレット固定具９４の遠位端は、図７に示されているように遠位コネクターハウジング１０３の遠位端を超えて遠位方向に延びる。代替的には、コレット固定具９４の遠位端は、遠位コネクターハウジング１０３の遠位端とほぼ同一平面の位置まで延びるか、遠位コネクターハウジング１０３の遠位端の近位側の位置まで延びる。これらの例のうちのいくつかでは、コレット固定具９４は、そのように配置されるために、少し短くされる（図６〜１０に示されているものに対して）。駆動装置１０２がさらに前進された際には、図８に示されているように、コレット閉鎖具８８が遠位方向に移動して、コレットバネ９０を圧縮する。コレット閉鎖具８８が遠位方向に移動されることによって、コレット７２は、ガイドワイヤ１０を挿入するために開かれる。ガイドワイヤ１０が配置されると、コレット７２を閉鎖するために、駆動装置１０２と、コレット固定具９４と、コレット閉鎖具８８とは近位方向に移動される。ガイドワイヤ１０は、コレット７２に把持されてポリマーディスク７０に接して停止される。軸上バネ９２は、良好な光学的接続に必要とされる軸方向の力を付与すためにガイドワイヤ１０の近位端をフェルール８２の中に押し込むためにアセンブリを押す。
【００４９】
コレット７２が開いている状態では、ガイドワイヤ１０は、図９に示されているように、遠位コネクタ６６の中に挿入される。ガイドワイヤ１０は、ガイドワイヤ１０が、フェルール８２とフェルール８６との間に配置されているポリマーディスク７０に隣接する位置で停止されるまで遠位コネクタ６６の内部にずっと押し入れられることにより、光ファイバー間（図示略）の密着接続を可能にして光学的な通信を高める。図１０は、駆動装置１０２が解除されて、コレット７２が閉じられてガイドワイヤ１０を把持している様子を示した部分断面図である。駆動装置１０２を解除することによってロック機構８８が閉鎖してガイドワイヤ１０を把持してガイドワイヤ１０をケーブル本体６２に対して固定することができる。駆動装置１０２とコレット閉鎖具８８が近位方向に移動されると、コレットバネ９０によって生成される力によってコレット７２は閉鎖される。ガイドワイヤ１０がコレット７２に把持されたら、内部アセンブリは、それ以上近位方向に移動されず、軸上バネ９２がガイドワイヤ１０と光学コネクタケーブル６１間の接続に対して力を付与して、良好な光学接続を確実なものにする。遠位コネクタ６６とそのように配置、または接続されると、ガイドワイヤ１０は、光学コネクタケーブル６１に対して回転可能になる。例えば、コレット固定具９４と、コレットバネ９０と、コレット７２と、コレット閉鎖具８８とは、すべて自由に回転できるため、ガイドワイヤ１０を回転可能にし、光学コネクタケーブル６１からガイドワイヤ１０を取り外さずに血管内での操作を容易にする。
【００５０】
図１１は、ケーブル本体２６２に接続されている遠位コネクタ２６６のハウジング２００の両側にある１つ以上のボタン２０２形式の駆動装置を備える医療装置システム２１１の別例を示す部分側面図である。いくつかの例では、１つのボタン２０２が使用される。別例では、２つ以上のボタン２０２が使用される。ボタン２０２は、ガイドワイヤロック機構（図示略）を駆動するために同時に押される。１つ以上のボタン２０２が押されないときは、ガイドワイヤ１０が回転できるように、内部ハウジング２７４は、スプラインギア２９８の歯または溝から離脱される。ボタン２０２を押すと、内部ハウジング２７４がスプラインギア２９８の歯または溝に係合して、コレットキャップ２７８が回転されてコレット２７２を駆動しガイドワイヤ１０をロックする。一旦ガイドワイヤ１０が遠位コネクタ２６６の遠位端に挿入されると、ボタン２０２が解除されて、コレットキャップ２７８は回転可能になる。２重ボタン２０２は、ガイドワイヤロック機構（図示略）を含む内部アセンブリの不慮の動作を防止する。例示の医療装置は、図１２〜１４に関して、以下でさらに詳細に説明されている。
【００５１】
図１２は、例示の医療装置システム２１１を示す部分断面図である。医療装置システム２１１は、遠位コネクタ２６６と光学コネクタケーブル２６１とを含む。遠位コネクタ２６６は、コレット２７２とコレット固定具２９４と回転可能なコレットキャップ２７８とを含むガイドワイヤロック機構を備える。光学コネクタケーブル２６１のハウジング２００は、遠位軸上バネ２９２と、ガイドワイヤフェルール２８２と、光学ケーブルフェルール２８６と、スプリットスリーブ２８４と、フェルール２８２とフェルール２８６の間に配置されたポリマーディスクと、コレットバネ２９０と、ベアリングアセンブリ２９６と、２重ボタン形式をとる駆動装置２０２と、３つの一体丁番２９９とを備える。その他の構成やボタンの形状も想定される。
【００５２】
遠位コネクタのハウジング２００は、スプラインギア２９８を有する内部ハウジング２９７をさらに備える。スプラインギア２９８は、駆動装置ボタン２０２が図１２に示されているように完全に押し下げられた場合には、光学コネクタケーブル２６１の内部ハウジング２７４が回転することを防止する。駆動装置２０２のボタン２０２が図１３に示されているように押し下げられた場合には、内部ハウジング２９７は遠位方向に移動されてコレット２７２と、内部ハウジング２７４と、コレットキャップ２７８と、コレット固定具２９４と、ベアリングアセンブリ２９５とを遠位方向に移動する。図１４に示されているように、ガイドワイヤ１０を把持するためにコレットキャップ２７８が回転によって締めることが可能になるように、内部ハウジング２９７のスプラインギア２９８は、内部ハウジング２７４の溝に係合して、システム２１１の回転を防止する。ガイドワイヤ１０が配置されてコレットキャップ２７８が締められると、ボタン２０２が解除されて、スプラインギア２９８を内部ハウジング２７４の溝から離脱し、アセンブリの回転が可能にされる。ボタン２０２が解除されると、ガイドワイヤ１０は、コレット２７２に把持されて、光ファイバー２４は、ポリマーディスク２７０とフェルール２８２に接触する。遠位バネ２９２は、ポリマーディスク２７０とフェルール２８２に対してガイドワイヤ１０に軸方向の力を付与して、良好な接続を確実なものにする。図１４Ｂは、駆動ボタン２０２が完全に解除されて、ガイドワイヤ１０を取り外すことなく患者の体管腔の中でガイドワイヤ１０を操作可能にするために、内部ハウジング２７４とガイドワイヤ１０とがともに自由に回転する医療装置システム２１１を示す部分断面図である。
【００５３】
図１５は、ガイドワイヤが内部に挿入される前の例示の医療装置３１１を示す部分断面図である。この図では、駆動装置３０２は、この実施形態において、ボタン３０２は、駆動されておらず、コレットバネ３９０は、近位方向に内部ハウジング３７４に力を付与して、コレット３７２は、閉じられた状態にあり、コレット３７２とガイドワイヤ１０とコレット固定具３７４とは、自由に回転する。
【００５４】
図１６は、遠位方向に内部ハウジング３７４を押す駆動装置ボタン３０２が部分的に押し下げられて軸上バネ３９２が最初に圧縮されている様子を示す部分断面図である。駆動装置ボタン３０２が図１７に示されているように、完全に押し下げられた場合には、コレットバネ３９０は、圧縮して、ガイドワイヤ１０を挿入、または離脱するためにコレット３７２を開く。
【００５５】
図１８は、遠位コネクタ４６６と光学コネクタケーブル４６０とを備える例示の医療装置システム４１１を示す部分断面図である。遠位コネクタのハウジング４００は、スプラインギア４９８を有する内部ハウジング４７４をさらに備える。
【００５６】
図１９で示されているように、駆動装置４０２、この実施形態では、摺動機構が、停止部、即ち凹部４０５の上を遠位方向に押された際には、スプラインギア４９８は、遠位コネクタ４６６のハウジング４７４の回転を防止する。前方位置にある駆動装置４０２は、スプラインギア４９８とともに内部ハウジング４７４を遠位方向に移動して、ガイドワイヤを取り除くためにコレットキャップ４７８を回転可能にする。内部ハウジング４７４のスプラインギア４９８が、内部ハウジング４７４の溝に係合してロック位置にあるときは、内部ハウジング４７４の回転を防止する。
【００５７】
図２０は、ガイドワイヤロック機構と、遠位コネクタ５６６と、光学コネクタケーブル５６０と、を有する例示の医療装置システム５１１を示す部分断面図である。遠位コネクタのハウジング５００は、コレット５７２とコレット固定具５９４とを含む内部ハウジング５９７をさらに備える。静止状態では、駆動装置に接続された内部ハウジング５９７は、スプラインギア５９８が遠位コネクタ５６６の内部ハウジング５７４と接することができないようにすることにより遠位コネクタ５６６に対してガイドワイヤの回転を許容する。
【００５８】
駆動装置５０２、この場合はレバーが、図２１に示されているように前方に押された際には、コネクタ５６６は、ハウジング５９７から分離され、溝を有するハウジング５７４は、スプラインギア５９８に接し、コレットキャップ５７８は、回転され、コレット５７２を開いて、ガイドワイヤ１０を離脱する。
【００５９】
図２２は、ガイドワイヤロック機構と、遠位コネクタ６６６と、光学コネクタケーブル６６１とを有する例示の医療装置システム６１１を示す部分断面図である。遠位コネクタ６６６は、内部ハウジング６７４を駆動する駆動装置６０と、ロックピン６９８を有するハウジング６００と、この実施形態では、偏倚されたピンチクランプ６７２の形式のガイドワイヤロック機構とを含む。偏倚されたピンチクランプ６７２は、駆動装置６０２と内部ハウジング６７４とロックピン６９８とが遠位位置にあるときに閉鎖状態にある。ガイドワイヤを取り外し、または挿入するために、駆動装置６０２が図２３に示されているように近位方向に移動された際には、内部ハウジングが駆動されて、ロックピンギア６９０の溝に係合してギアの溝の内部に位置することによってキャップ６７８の回転と偏倚されたピンチクランプ６７２の開口とが可能になる。
【００６０】
図２４は、ガイドワイヤロック機構と遠位コネクタ７６６を有する例示の医療装置システム７１１を示す部分断面図である。遠位コネクタ７６６は、バネ７７２とカム７７３とを含むバネで留められたカムアセンブリを有する内部ハウジング７９７を備えるハウジング７００を含む。カムアセンブリのカム７７３は、ガイドワイヤ１０を遠位コネクタ７６６に十分にロックしつつガイドワイヤ１０の回転を許容する。駆動装置は、ラチェット７０２と解除ボタン７０３とを含む。ラチェット７０２が押し込まれると、カム７７３が押し込まれて、ガイドワイヤ１０は、ワイヤフルール（図示略）に対して押し込まれる。解除ボタン７０３が図２５に示されているように押しこまれると、ラチェット７０２が解除されて、カムアセンブリ７７２は、ガイドワイヤ１０を自由にする静止位置に回復する。これにより、図２６に示されているように、ガイドワイヤの取り外しと挿入とが可能になる。
【００６１】
ガイドワイヤ１０の構成要素およびここに説明されている様々な管状部材に使用される材料には、医療装置に一般的に対応するものが含まれる。簡潔化のために、以下の説明は、シャフト１２とガイドワイヤ１０のその他の構成要素を参照して行う。しかしながら、これは、ここで説明する装置及び方法を限定することを意図するものではなく、説明は、その他の類似する管状部材、および管状部材の構成要素、またはここに開示されている装置に適用される。
【００６２】
ここに開示されている装置またはシステムの様々な構成要素は、金属、金属合金、ポリマー（いくつかの例は以下で説明する）、金属‐ポリマー混合物、セラミクス、それらの組み合わせなど、またはその他の好適な材料が含まれる。好適な材料および金属合金の例の中には、ステンレス鋼、３０４Ｖ，３０４Ｌ，３１６ＬＶステンレス鋼、軟鋼、線形弾性および超弾性ニチノールのうちの少なくともいずれか一方などのニッケル‐チタン合金、ニッケル‐クロム‐モリブデン合金（ＩＮＣＯＮＥＬ（登録商標）６２５などのＵＮＳ：Ｎ０６６２５、ＨＡＳＴＥＬＬＯＹ（登録商標）Ｃ−２２（登録商標）などのＵＮＳ：Ｎ０６０２２、ＨＡＳＴＥＬＬＯＹ（登録商標）Ｃ２７６（登録商標）などのＵＮＳ：Ｎ１０２７６、その他のＨＳＴＥＬＬＯＹ（登録商標）合金など）、ニッケル‐銅合金（ＭＯＮＥＬ（登録商標）４００、ＮＩＣＫＥＬＶＡＣ（登録商標）４００、ＮＩＣＯＲＲＯＳ（登録商標）４００などのＵＮＳ：Ｎ０４４００）、ニッケル‐コバルト‐クロム‐モリブデン合金（ＭＰ３５‐Ｎ（登録商標）などのＵＮＳ：Ｒ３００３５）、ニッケル‐モリブデン合金（ＨＡＳＴＥＬＬＯＹ（登録商標、ＡＬＬＯＹ  Ｂ２（登録商標）などのＵＮＳ：Ｎ１０６６５）、その他のニッケル‐クロム合金、その他のニッケル‐モリブデン合金、その他のニッケル‐コバルト合金、その他のニッケル‐鉄合金、その他のニッケル‐銅合金、その他のニッケル‐タングステン、またはタングステン合金などのその他のニッケル合金、コバルト‐クロム合金、コバルト‐クロム‐モリブデン合金（ＥＬＧＩＬＯＹ（登録商標）、ＰＨＹＮＯＸ（登録商標）などのＵＮＳ：Ｒ３０００３）、プラチナ富化ステンレス鋼、チタン、それらの組み合わせなど、または任意の好適な材料が含まれる。
【００６３】
好適なポリマーの例には、ポリテトラフルオロエチレン（ＰＴＦＥ：polytetrafluoroethylene）、エチレンテトラフルオロエチレン（ＥＴＦＥ：ethylene  tetrafluoroethylene）、フッ化エチレンピロピレン（ＦＥＰ：fluorinated  ethylene  propylene）、ポリオキシメチレン（ＰＯＭ：polyoxymethylene、ＤｕＰｏｎｔ社のＤＥＬＲＩＮ（登録商標）など）、ポリエーテルブロックエステル、ポリウレタン（Polyurethane８５Ａなど）、ポリプロピレン（ＰＰ：polypropylene）、ポリ塩化ビニル（ＰＶＣ：polyvinylchloride）、ポリエーテル‐エステル（polyether-ester、ＤＳＭ  Ｅｎｇｉｎｅｒｒｉｎｇ  Ｐｌａｓｔｉｃｓ社から入手可能なＡＲＮＩＴＥＬ（登録商標）など）、エーテルまたはエステルをベースとする共重合体（ブチレン／ポリ（アルキレンエーテル）フタラート（butylene/poly(alkylene  ether)  phthalate）、およびＤｕＰｏｎｔ社から入手可能なＨＹＴＲＥＬ（登録商標）などのポリエステルエラストーマー（polyester  elastomers）など）、ポリアミド（Ｂａｙｅｒ社から入手可能なＤＵＲＥＴＨＡＮ（登録商標）、ＥｌｆＡｔｏｃｈｅｍ社から入手可能なＣＲＩＳＴＡＭＩＤ（登録商標）など）、エラストーマーポリアミド（elastomeric  polyamides）、ブロックポリアミド／エーテル（block polyamide/ethers）、ポリエーテルブロックアミド（ＰＥＢＡ：polyether  block  amide、ＰＥＢＡＸ（登録商標）名で入手可能なものなど）、エチレンビニルアセテート共重合体（ＥＶＡ：ethylene vinyl acetate copolymers）、シリコン（silicones）、ポリエチレン（ＰＥ：polyethylene）、Ｍａｒｌｅｘ高密度ポリエチレン（Marlex  high-density  polyethylene）、Ｍａｒｌｅｘ低密度ポリエチレン（Marlex  low-density  polyethylene）、線状低密度ポリエチレン（linear low density polyethylene、ＲＥＸＥＬＬ（登録商標）など）ポリエステル（polyester）、ポリブチレンテレフタレート（ＰＢＴ：polybutylene  terephthalate）、ポリエチレンテレフタレート（ＰＥＴ：polyethylene  terephthalate）、ポリトリメチレンテレフタレート（polytrimethylene  terephthalate）、ポリエチレンナフタレート（ＰＥＮ：polyethylene  naphthalate）、ポリエーテルエーテルケトン（ＰＥＥＫ：polyetheretherketone）、ポリイミド（ＰＩ：polyimide）、ポリエーテルイミド（ＰＥＩ：polyetherimide）、ポリフェニルスルファイド（ＰＰＳ：polyphenylene  sulfide）、ポリフェニレンオキシド（ＰＰＯ：polyphenylene  oxide）、ポリパラフェニレンテレフタルアミド（poly  paraphenylene  terephthalamide、ＫＥＶＬＡＲ（登録商標））、ポリスルフォン（polysulfone）ナイロン、ナイロン‐１２（ＥＭＳ  Ａｍｅｒｉｃａｎ  Ｇｒｉｌｉｏｎ社から入手可能なＧＲＩＬＡＭＩＤ（登録商標）など）、パーフルオロ（プロピルビニルエーテル）（ＰＦＡ:perfluoro（propyl  vinyl  ether））、エチレンビニルアルコール（ethylene  vinyl  alcohol）、ポリオレフィン（polyolefin）、ポリスチレン（polystyrene）、エポキシ（epoxy）、ポリビニリデンクロライド（ＰＶｄＣ:polyvinylidene  chloride）、ポリ（スチレン‐ｂ‐イソブチレン‐ｂ‐スチレン）（poly（styrene  -b-  isobutylene  -b-  styrene）、ＩＢＳおよびＳＩＢＳＡのうちの少なくともいずれか一方など）、ポリカーボネート（polycarbonates）、イオノマー（ionomers）、生体適合性ポリマー、その他の好適な材料、または混合物、組み合わせ、それらの共重合体、ポリマー／金属混合物などが含まれ��。いくつかの実施形態では、シースは、液晶ポリマー（ＬＣＰ）を混合可能である。例えば、混合物は、最大約６％のＬＣＰを含むことが可能である。
【００６４】
米国特許出願第２０１４／０３５０４１４号明細書は、引用することによって、ここに援用される。米国特許出願第２０１４／００５８２７５号明細書は、引用することにより、ここに援用される。２０１４年３月４日に出願された米国特許出願第２０１４／１９６７４０号明細書は、引用することにより、ここに援用される。
【００６５】
本願発明は、多くの点において、単なる例示であることを理解されたい。詳細において、特に形状、サイズ、工程の順序については、本願発明の範囲を逸脱することなく変更が可能である。これは、適当であると認められる程度において、ある例示の実施形態の任意の要素を他の実施形態に使用することが含まれる。本願発明の範囲は、言うまでもないが、添付の請求項によって記載される文言によって定義される。
【図１】
2019505357.tif 000003
【図２】
2019505357.tif 000004
【図３】
2019505357.tif 000005
【図４】
2019505357.tif 000006
【図５】
2019505357.tif 000007
【図６】
2019505357.tif 000008
【図７】
2019505357.tif 000009
【図８】
2019505357.tif 000010
【図９】
2019505357.tif 000011
【図１０】
2019505357.tif 000012
【図１１】
2019505357.tif 000013
【図１２】
2019505357.tif 000014
【図１３】
2019505357.tif 000015
【図１４】
2019505357.tif 000016
【図１４Ｂ】
2019505357.tif 000017
【図１５】
2019505357.tif 000018
【図１６】
2019505357.tif 000019
【図１７】
2019505357.tif 000020
【図１８】
2019505357.tif 000021
【図１９】
2019505357.tif 000022
【図２０】
2019505357.tif 000023
【図２１】
2019505357.tif 000024
【図２２】
2019505357.tif 000025
【図２３】
2019505357.tif 000026
【図２４】
2019505357.tif 000027
【図２５】
2019505357.tif 000028
【図２６】
2019505357.tif 000029
【国際調査報告】
2019505357.tif 000030
2019505357.tif 000031